(57)【要約】      （修正有）【課題】プロジェクタの周囲にいる視聴者がより適正な大きさで音声を聞くことができる投写型映像表示装置を提供する。【解決手段】光源から出射された光を表示デバイス（液晶パネル）を介して変調し、映像を拡大投写する投写型映像表示装置において、入力される音声信号を増幅して出力するスピーカー５０を備えており、そのスピーカー５０は無指向の特性を有するものであり、本体ケース内の天面に設けられている。【選択図】図１
2009229617.tif 000002
【特許請求の範囲】
【請求項１】
光源から出射された光を表示デバイスを介して変調し、映像を拡大投写する投写型映像表示装置において、入力される音声信号を増幅して出力するスピーカーを備え、前記スピーカーは、無指向特性を有することを特徴とする投写型映像表示装置。
【請求項２】
前記スピーカーは、投写型映像表示装置の本体ケース内の天面に設けられていることを特徴とする請求項１に記載の投写型映像表示装置。
【発明の詳細な説明】
【技術分野】
【０００１】
本発明は液晶プロジェクタなどの投写型映像表示装置に関し、特にスピーカーを有する投写型映像表示装置に関する。
【背景技術】
【０００２】
この種、投写型映像表示装置としては、プロジェクタの後方に、後方に向けた左右一対のスピーカーを備え、キーストーン補正を行なう際に検出するプロジェクタとスクリーンとの設置角度に応じて左右のスピーカーの音量を制御することにより、プロジェクタに近い側の視聴者と
プロジェクタに遠い側の視聴者との双方に、より適正な大きさで音声を聞かせるようにしたものが知られている（例えば特許文献１参照）。
【特許文献１】特開２００４−１６３４５３号公報
【発明の開示】
【発明が解決しようとする課題】
【０００３】
しかしながら、一般にスピーカーには指向性があり、プロジェクタの側方や前方にいる視聴者には、スピーカーから適正な大きさで音声を聞くことができず、音声を聞き取り難くなってしまう虞があった。
【０００４】
そこで本発明は、このような課題を解決するためになされたものであり、プロジェクタの周囲にいる視聴者がより適正な大きさで音声を聞くことができる投写型映像表示装置を提供することを課題とする。
【課題を解決するための手段】
【０００５】
上記課題を解決するための手段は、光源から出射された光を表示デバイスを介して変調し、映像を拡大投写する投写型映像表示装置において、入力される音声信号を増幅して出力するスピーカーを備え、前記スピーカーは、無指向特性を有することを特徴とする。
【０００６】
上記課題を解決するための手段において、前記スピーカーは、投写型映像表示装置の本体ケース内の天面に設けられてもよい。
【発明の効果】
【０００７】
本発明の構成によれば、投写型映像表示装置の周囲にいる視聴者に適正な大きさで音声を聞かすことができる等の効果を奏する。
【発明を実施するための最良の形態】
【０００８】
本発明の第１実施形態の投写型映像表示装置を図１及び図２に基づいて以下に詳述する。
【０００９】
図１及び図２に示すように、本実施形態の投写型映像表示装置は３板式の液晶プロジェクタ３０を例として示している。液晶プロジェクタ３０の本体ケース４１内には、後述する光源１から投写レンズ１６に至るまでの光学系４２が配置されている。
【００１０】
図２は本体ケース４１内に配置された光学系４２を示している。光源１における発光部は、超高圧水銀ランプ、メタルハライドランプ、キセノンランプ等から成り、その照射光はパラボラリフレクタ２によって平行光となって出射され、インテグレータレンズ４へと導かれる。
【００１１】
インテグレータレンズ４は一対のレンズ群（フライアイレンズ）４ａ・４ｂから構成されており、個々のレンズ部分が光源１から出射された光を後述する液晶ライトバルブ３１，３２，３３の全面に導くようになっており、光源１において存在する部分的な輝度ムラを平均化し、画面中央と周辺部とでの光量差を低減する。インテグレータレンズ４を経た光は、偏光変換装置５、及び集光レンズ６を経た後、第１ダイクロイックミラー７に導かれる。
【００１２】
第１ダイクロイックミラー７は、赤色波長帯域の光を透過し、シアン（緑＋青）の波長帯域の光を反射する。第１ダイクロイックミラー７を透過した赤色波長帯域の光は、反射ミラー８にて反射されて光路を変更される。反射ミラー８にて反射された赤色光はレンズ９を経て赤色光用の透過型の液晶ライトバルブ３１を透過することによって光変調される。また、第１ダイクロイックミラー７にて反射したシアンの波長帯域の光は、第２ダイクロイックミラー１０に導かれる。
【００１３】
第２ダイクロイックミラー１０は、青色波長帯域の光を透過し、緑色波長帯域の光を反射する。第２ダイクロイックミラー１０にて反射した緑色波長帯域の光は、レンズ１１を経て緑色光用の透過型の液晶ライトバルブ３２に導かれ、これを透過することで光変調される。また、第２ダイクロイックミラー１０を透過した青色波長帯域の光は、全反射ミラー１２、全反射ミラー１３、レンズ１４を経て青色光用の透過型の液晶ライトバルブ３３に導かれ、これを透過することで光変調される。
【００１４】
表示デバイスとしての各液晶ライトバルブ３１，３２，３３は、入射側偏光板３１ａ，３２ａ，３３ａと、一対のガラス基板（画素電極や配向膜を形成してある）間に液晶を封入して成るパネル部３１ｂ，３２ｂ，３３ｂと、出射側偏光板３１ｃ，３２ｃ，３３ｃとから構成されている。
【００１５】
液晶ライトバルブ３１，３２，３３を経ることで変調された変調光（各色映像光）は、クロスダイクロイックプリズム１５によって合成されてカラー映像光となる。このカラー映像光は、投写レンズ１６によって拡大投写され、図示しないスクリーン上に表示される。投写レンズ１６はステッピングモータ２２により前後（図２においては上下）に移動自在になっている。
【００１６】
図１に示すように、本体ケース４１内の天面略中央には、入力された音声信号を増幅して出力するスピーカー５０が設けられている。このスピーカー５０は、無指向特性を有しており、３６０度全方位に音を伝えることができるため、液晶プロジェクタ３０の周囲にいる視聴者全員一様に適正な大きさの音声を聞かせることができるようになっている。
【００１７】
また、スピーカー５０が設けられている本体ケース４１は、振動を伝えやすい部材や、振動しやすいように局部的に薄肉に形成されており、音を出すための穴を本体ケース４１に設けることなく、スピーカー５０からの音声が本体ケース４１外に聞こえるようになっている。
【００１８】
また、本体ケース４１に音を出すための穴を形成していないため、本体ケース４１の天面にスピーカー５０を設けても防塵性能を向上させることができると共に、本体ケース４１の天面にスピーカー５０を設けることにより、スピーカー５０の無指向性をより向上させることができる。
【００１９】
尚、本発明の第１実施形態において、スピーカー５０は、無指向特性を有すると共に、音を出すための穴を本体ケース４１に設けることなく、スピーカー５０からの音声が本体ケース４１外に聞こえるように構成したが、これに限定されるものではなく、音を出すための穴を本体ケース４１に設けた構成にしてもよい。
【００２０】
図３及び図４は本発明の第２実施形態を示している。尚、第１実施形態と同一部品については同一符号を付して説明は省略します。
【００２１】
第１実施形態では、無指向特性を有するスピーカー５０を設けたが、第２実施形態では、アンプを備えた外部スピーカー６０に液晶プロジェクタ３０を接続する構成となっている。
【００２２】
外部スピーカー６０への音声出力は、本体ケース４１裏面の音声端子６５から行なうようになっている。また、音声端子６５は、音声信号を出力すると共に、外部スピーカー６０のアンプへの電力を同時に供給できるように構成されており、外部スピーカー６０のコード７０に設けられている図示しない端子を音声端子６５に接続することにより、外部スピーカー６０に音声を出力することができると共に、外部スピーカー６０に電力を供給することができるようになっている。
【００２３】
従って、特に外部スピーカー６０用の電源を準備する必要がなく、プロジェクタ３０との音声出力接続だけで外部スピーカー６０に電力が供給できるようになっている。
【００２４】
尚、本発明の第１及び第２実施形態では液晶表示パネルを用いた液晶プロジェクタ３０を示したが、これに限定されるものではなく他の映像光生成系を備える投写型映像表示装置においても本発明を適用できる。前面投写型の他、背面投写型映像表示装置においても本発明を適用することができる。また、ＤＬＰ（Digital Light Processing）（テキサス・インスツルメンツ（ＴＩ）社の登録商標）方式のプロジェクタにおいても本発明を適用することができる。
【図面の簡単な説明】
【００２５】
【図１】本発明の第１実施形態の液晶プロジェクタの外観斜視図である。
【図２】同液晶プロジェクタの光学系を示した構成図である。
【図３】本発明の第２実施形態の液晶プロジェクタの外観斜視図である。
【図４】同液晶プロジェクタの背面図である。
【符号の説明】
【００２６】
１      光源
１６    投写レンズ
３１    液晶ライトバルブ（表示デバイス）
３２    液晶ライトバルブ（表示デバイス）
３３    液晶ライトバルブ（表示デバイス）
４１    本体ケース
５０    スピーカー
【図１】
2009229617.tif 000003
【図２】
2009229617.tif 000004
【図３】
2009229617.tif 000005
【図４】
2009229617.tif 000006